(57)【要約】
【目的】　少ない消費電力で光源ランプの延命をはかり、発色の選択を広げ装飾の自由度を確保し、装飾照明の効果を発揮することができる装飾用照明器具を提供する。
【構成】ポリブタジエンゴムを透過素材とする真球体覆い部材の着色と、光源とする超高輝度発光ダイオードランプの発光色との組み合わせにより、従来より多くの発色を全方向に透過拡散する。また、ポリブタジエンゴムを透過素材とする真球体覆い部材は大小組み合わせることによる照明効果および超高輝度発光ダイオードランプ部を耐水性シールドで被覆し、水中においても使用を可能とする。
【選択図】図２
0003099927.tif 000002
【実用新案登録請求の範囲】
【請求項１】
透過素材とする真球体覆いの中心部に光源部をもつ装飾用照明器具であって、前記真球体覆い部材により全方向に光りを透過拡散し、均一な発色が獲得でき、一本の電源供給線に、前記真球体覆い照明器具の複数個の装着により連鎖状の照明を可能とし自由度の高い装飾を可能としている、これを特徴とする装飾用照明器具。
【請求項２】
透過素材とする真球体覆いの中心部に光源部をもち、光源に耐水性を確保する装飾用照明器具であって、前記真球体覆い部材により全方向に光りを透過拡散し、均一な発色が水中および水上において獲得でき、一本の電源供給線に、前記真球体覆い照明器具の複数個の装着により連鎖状の照明を可能とし自由度の高い装飾を可能としている、これを特徴とする装飾用照明器具。
【考案の詳細な説明】
【考案の詳細な説明】
【産業上の利用分野】
【０００１】本考案は、服飾店や飲食店などの店内およびショーウィンド装飾用照明器具に、或いは各種小売店の店頭に用いられる水槽設備の装飾用に使用される装飾用照明器具に係り、極めて小さい消費電力で自由度の高い装飾照明の効果を発揮することができる装飾用照明器具に関する。
【背景技術】
【０００２】従来より、服飾店や飲食店などの店舗では、装飾用の照明器具が使われている。
この装飾用の照明器具としては、例えば図４のように光源４０を露出するものが知られている。この図４に示す照明器具では、電源供給線に連鎖状に小さい電球が多数配置され、その光源を覆うカバー素材４１に任意で着色し発色する方法や光源４０そのものに着色する方法が一般的であった。
【考案が解決しようとする課題】
【０００３】しかしながら、このような従来の照明器具では単一方向への光り照射しか生じず、しかも光源を覆うカバーへの着色や光源そのものに対する着色では発色のムラや装飾用照明器具としの効果を果たす事が難しかった。また、従来の照明器具では雨や雪など水滴に弱く、装飾用照明器具の設置場所が限定的になり、装飾用照明器具としての効果を果たす事が難しかった。
本考案はこのような従来の装飾用照明器具の問題点に着目してなされたものであり、従来よりも発色の選択を広げ、しかも装飾の自由度を確保し、従来よりも光源ランプの寿命は長くなり、格段に少ない消費電力で、装飾照明の効果を果たすことができる装飾用照明器具を提供することを目的とする。
【課題を解決するための手段】
【０００４】上記課題を達成するための本考案の装飾用照明器具は、ポリブタジエンゴムを透過素材とする真球体覆い部材の着色と、光源とする超高輝度発光ダイオードランプの発光色との組み合わせにより、従来の装飾用照明器具より多くの発色を全方向に透過拡散することを特徴としている。
また、本考案では、ポリブタジエンゴムを透過素材とする真球体覆い部材は大小組み合わせることによる照明効果および超高輝度発光ダイオードランプ部を耐水性シールドで被覆し、水中においても使用を可能とすることを特徴としている。
【作用】
【０００５】上述のように、本考案による装飾用照明器具は真球体覆い部材であるポリブタジエンゴムを透過素材としているため、球体中心部に位置する超高輝度発光ダイオードランプから発する光は球体全方向に拡散され軟らかい光りを提供でき、かつ発光色の幅が獲得でき室内装飾や店内装飾に間接照明以上の作用効果が期待できる。
【実施例】
【０００６】以下、本考案について図示の実施例に基づいて説明する。
図１は本考案の一実施例に係る照明器具を示す中心分割斜視断面図である。
図１において、本実施例ではポリブタジエンゴムの透過素材１１の中心部に位置する超高輝度発光ダイオードランプ１２が配置され、光源に耐水性を獲得する内部接着剤入熱収縮チューブを施し１３、電源の供給と照明器具を連結させる電源コード１４により構成され、ポリブタジエンゴムの透過素材１１は光源を保護すると同時に、光源である超高輝度発光ダイオードランプ１２から発する光を透過拡散する機能からなっており、光源である超高輝度発光ダイオードランプ１２は白、青、青緑、緑、黄、橙、赤より選択しポリブタジエンゴムの透過素材１１の色彩との組み合わせにより様々な発色光を提供できる。【０００７】次ぎに、この本実施例の装飾方法について図２にて説明する。本実施例は室内装飾や店内装飾における装飾に係るもで、図１の照明器具の覆い部材であるポリブタジエンゴムを透過素材は、真球体覆い部材として大小２種類１１ａ、１１ｂがあり、電源ＡＣアダプター２０を通じ直流に変換された１５Ｖにより供給し、途中接続プラグ２１により供給する電源コード１４に複数個を連鎖状に配置し、吊り下げ支持部Ｘを任意の箇所に固定し、自由な構成により装飾することができる。【０００８】さらに、水槽での本実施例を図３にて説明する。本実施例は室内装飾や店内装飾に用いられる水槽３１に設置した状態が図３であり、照明器具１１ａ、１１ｂの素材であるポリブタジエンゴムの比重が０．９２と程よい浮力のため、水中部分への照明と水上部分への光量分配により独自の装飾照明を獲得できる。
【考案の効果】
【０００９】本考案による装飾用照明器具では、上述のとおり構成されているので、次に記載する効果を奏する。室内装飾や店内装飾における装飾用照明器具においては、店舗の広さ、照明位置などにさまざまな制約があり、照明の照度や色彩、維持管理に係る経済性など多くの要求がある。
例えば店頭のディスプレー照明、店内の壁面装飾照明、観葉植物装飾照明、店舗柱等の装飾照明などを可能とし、従来の装飾用照明器具にみられた色彩の限定や設置方法の限定を解消し、安価な費用で装飾用照明効果を実現できるようになり、従来よりも格段に小さい消費電力で維持管理も容易な照明器具が可能になる。
また、実施例にみるように水中での照明使用を可能とすることにより、新たな装飾照明が可能になる。
【図面の簡単な説明】
【図１】本考案の実施例に係る装飾用照明器具を示す分割斜視断面図である。
【図２】本考案の実施例として装飾用照明器具を吊り下げた状態を示す図である。
【図３】装飾用照明器具として水槽に装飾用照明器具を浮かべて使用している状態を示す図である。
【図４】従来の装飾用照明器具を示す図である。
【符号の説明】
Ｘ　　　装飾用照明器具の吊り下げ支持部
１１　　装飾用照明器具のポリブタジエンゴ厶を透過素材とする真球体覆い
１１ａ　小さい真球体覆い部材の装飾用照明器具
１１ｂ　大きい真球体覆い部材の装飾用照明器具
１２　　光源である超高輝度発光ダイオードランプ
１３　　光源に耐水性を獲得する内部接着剤入熱収縮チューブを施した状態
１４　　電源の供給と照明器具を連結させる電源コード
２０　　電源ＡＣアダプター
２１　　接続プラグ
３１　　水槽
４０　　従来の装飾用照明器具の光源
４１　　従来の装飾用照明器具の光源を覆うカバー素材
４２　　従来の装飾用照明器具の電源ＡＣアダプター
【図１】
0003099927.tif 000003
【図２】
0003099927.tif 000004
【図３】
0003099927.tif 000005
【図４】
0003099927.tif 000006